【事件の表示】
　特願２００３−１６３６６７号「複合マッサージ機」拒絶査定不服審判事件〔平成１５年１１月１８日出願公開、特開２００３−３２５６１１号〕について、次のとおり審決する。
【結　論】
　本件審判の請求は、成り立たない。
【理　由】
第１．手続の経緯・本願発明
　本願は、平成７年１１月１日に出願した特願平７−３０９８２９号の一部を平成１５年６月９日に新たな特許出願としたものであって、平成１７年４月２８日付けで拒絶査定がなされ、これに対し、平成１７年６月６日に拒絶査定不服審判の請求がなされたものである。
　そして、当審において、平成１９年７月２５日付けで拒絶理由を通知し、同年９月１２日に手続補正書が提出されたものである。
　
　その請求項１に係る発明（以下、「本願発明」という。）は、同年９月１２日付け手続補正書により補正された明細書及び図面の記載からみて、その特許請求の範囲の請求項１に記載された事項により特定される、次のとおりのものである。
　
「椅子型基体の背板中央を上下に移動可能な摺擦体を配設し、その摺擦機構部を挟んだ背板の左右の列に複数段の気嚢を分設し、坐台に複数の気嚢を配置し、坐台の前面に気嚢を対設した揉捏機構を取り付け、各気嚢は圧気の給排により膨縮するものとし、前記背板に分設した複数段の気嚢については、同じ段の左右の気嚢が同時に膨縮し、この膨縮動作が移行するようにし、前記背板に分設した気嚢の膨縮動作の移行を摺擦体の走行速度と同期させるようにしたことを特徴とする複合マッサージ機。」
　
第２．平成１９年７月２５日付け拒絶理由の概要
　平成１９年７月２５日付けで当審において通知した拒絶理由１．の概要は、以下のとおりである。
　
　この出願の請求項１係る発明は、その出願前に日本国内又は外国において頒布された特開平７−１２４２１０号公報（以下、「引用例１」という。）、特開平５−１４６４７９号公報（以下、「引用例２」という。）、実公昭３５−５８５号公報（以下、「引用例３」という。）に記載された発明に基づいて、その出願前にその発明の属する技術の分野における通常の知識を有する者が容易に発明をすることができたものであるから、特許法第２９条第２項の規定により特許を受けることができない。
　
第３．引用例の記載事項
　引用例１には、図面と共に次の事項が記載されている。
（ア）「【産業上の利用分野】この発明は、空気袋の膨張・収縮によってマッサージを行なうエアマッサージ装置に関する。」（段落【０００１】）
（イ）「＜マッサージ椅子１０＞マッサージ椅子１０は、座部１１と、座部１１の両側部に設けられて座部１１を支持している支持脚１２，１２と、支持脚１２，１２一体に設けられ且つ座部１１より上方に突出するアームレスト部１３，１３と、座部１１の後縁部に前後に起倒調整可能に装着された背凭れ部１４とを有する。この背凭れ部１４の前面即ち人体当接面１４ａは、座部１１及び背凭れ部１４の左右幅方向の中心線Ｐから左右両側が前側に湾曲傾斜させられている。」（段落【００１７】）
（ウ）「（座部１１）座部１１の本体１１ｂの人体当接面１１ａとそのカバー（図示せず）との間には、本体に固定され且つ空気袋保持ポケットが設けられた布製の座部用空気袋保持シート（図示せず）が配設される。この座部用空気袋シートの前後の部分には、幅方向に延びる２つの空気袋ａ２，ａ３が保持されている。」（段落【００２０】）
（エ）「（背凭れ部１４）背凭れ部１４の本体１４ｂの人体当接面１４ａとそのカバー（図示せず）との間には本体に固定され且つ空気袋保持用ポケットが設けられた布製の背凭れ用空気袋保持シート（共に図示せず）が配設されている。この背凭れ用空気袋シートには、人体当接面１４ａの中心線Ｐの左右に跨って左右中央部に配置された空気袋ａ４と、空気袋ａ４の前側に一部が重ねられていると共に中心線Ｐの左右に間隔をおいて独立させて設けられた空気袋ａ５，ａ５と、中心線Ｐの左右に跨って左右中央部に設けられた空気袋ａ６と、中心線Ｐの左右に間隔をおいて独立させて設けられた空気袋ａ７，ａ７と、中心線Ｐの左右に跨って背凭れ部１４の両側付近まで延びる空気袋ａ８と、中心線Ｐの左右に間隔をおいて独立して配置された空気袋ａ９，ａ９と、空気袋ａ９，ａ９の対向端部に設けられた小空気袋ａ１０，ａ１０を有する。この小空気袋ａ１０は空気袋ａ９よりも容積が充分小さく設定されている。尚、空気袋ａ５，ａ５の対向端部は空気袋ａ４の略中央部付近まで配設されている。」（段落【００２２】〜【００２３】）
（オ）「＜下肢マッサージ器２０＞下肢マッサージ器２０は、マッサージ椅子１と同様にクッション性を備えていると共に、本体２１に左右脚用の保持溝２２，２２を設け、各保持溝２２，２２の対向する部分に各々一対の空気袋ａ１１，ａ１１を対向させて設けたものである。」（段落【００２６】）
（カ）「＜エア給排気装置４０＞図１において、４０は空気袋ａ１〜ａ１１に空気を供給したり、空気袋ａ１〜ａ１１内の空気を排気したりするエア給排気装置である。このエア給排気装置４０は座部３の後部下面に着脱可能に取り付けられている。」（段落【００２８】）
（キ）「・・・（略）・・・給排気ホースｃ３を介してホースｂ３にエア給排気装置４０から供給された空気は、分岐ホースｂ３１，ｂ３２を経由して空気袋ａ５，ａ５を図７(a)の状態から図７(b)の如く同期して膨張させるようになっている。」（段落【００４７】）
（ク）「・・・（略）・・・給排気ホースｃ６を介してホースｂ６にエア給排気装置４０から供給された空気は、分岐ホースｂ６１，ｂ６２を経由して空気袋ａ７，ａ７を同期して膨張させるようになっている。」（段落【００５０】）
（ケ）「・・・（略）・・・給排気ホースｃ７を介してホースｂ７にエア給排気装置４０から供給された空気は、各分岐ホースｂ７１〜ｂ７４を経由して空気袋ａ９，ａ９及び空気袋ａ１０，ａ１０を図６(a)の状態から図６(b)の如く同期して膨張させるようになっている。」（段落【００５３】）
（コ）「また、制御回路１００は、操作パネル１５に設けた所定の連続揉み動作を行わせるスイッチの操作により、位置Ｅ１〜Ｅ８が光センサ８０により所定の順序で検出されるように、ステッピングモータ９５を駆動制御して、各空気袋ａ１〜ａ１１を予め設定された所定の順序に従って順次膨出・収縮させるようにもなっている。」（段落【００５７】）
（サ）図１には、背凭れ部１４の左右に間隔をおいて複数段の空気袋ａ５、ａ７、ａ９を設け、座部１１の前面に空気袋ａ１１を対設した下肢マッサージ器２０を間隔をおいて配置した、マッサージ椅子１０が図示されている。      
（シ）空気袋ａ５、ａ７、ａ９は、同期して膨張させるようになっているとともに（上記記載（キ）ないし（ケ）参照）、順次膨出・収縮させるようになっていることから（上記記載（コ）参照）、同じ段の左右の空気袋が同時に膨縮し、この膨縮動作が順次移行するようにした構成を備えているといえる。
                                                                  
　これら記載事項を総合し、本願発明の記載ぶりに則って整理すると、引用例１には、次の発明（以下、「引用発明」という）が記載されていると認められる。
「マッサージ椅子１０の背凭れ部１４の左右中央部に空気袋ａ４、ａ６、ａ８を配置し、背凭れ部１４に中心線Ｐの左右に間隔をおいて複数段の空気袋ａ５、ａ７、ａ９を配置し、座部１１に２つの空気袋ａ２，ａ３が保持され、座部１１の前面に空気袋ａ１１を対設した下肢マッサージ器２０を間隔をおいて配置し、各空気袋はエア排気装置４０から供給された空気により膨張させるようになっており、前記背凭れ部１４に配置された複数段の空気袋ａ５、ａ７、ａ９は、同じ段の左右の空気袋が同時に膨縮し、この膨縮動作が順次移行するようにしたエアマッサージ装置。」
　
　同じく、引用例２には、図面と共に以下の事項が記載されている。
（ス）「長手方向の中央部に施療領域を形成するローラマッサージ機において、中央部の施療領域に膨張収縮自在になるエアーマットを設け、ローラマッサージ機のオン作動にてエアーマットが収縮作動し、ローラマッサージ機のオフ作動にてエアーマットが膨張作動するように、ローラマッサージ機の作動とエアーマットの膨張収縮作動を連動させて成ることを特徴とするローラマッサージ機。」（請求項１）
（セ）「このように、長手方向の中央部に施療領域１を形成するローラマッサージ機において、中央部の施療領域１に膨張収縮自在になるエアーマット２を設け、ローラマッサージ機３のオン作動にてエアーマット２が収縮作動し、ローラマッサージ機３のオフ作動にてエアーマット２が膨張作動するように、ローラマッサージ機３の作動とエアーマット２の膨張収縮作動を連動させることによって、ローラマッサージ機３のオン時にはエアーマット２のエアーが抜けていて、充分なマッサージ機能を発揮し、そして、ローラマッサージ機３のオフ時にはエアーマット２は膨張していて、ソファーとして充分な身体の沈み込み阻止をおこなえ、充分なクッション性を備え、ソファー形態のローラマッサージ機の使い勝手を高めるようにしたものである。」（段落【０００９】）
（ソ）「また、ローラマッサージ機による施療中にエアーマットの空気量を調節自在になすから、基準（自動）加圧値に対してエアー圧を調節して、マッサージ圧を高めたり、低くしたできるという利点がある。・・・（略）・・・」（段落【００２１】）
　
　さらに、引用例３には、図面と共に以下の事項が記載されている。
（タ）「本考案は安楽椅子の座褥２の後背部に背面凭掛１を枢着し又その前縁には脛当座３を起伏可動状に備えて之等を脚台８上に載置し且つ該脛当座３の下端に足台４を設けてその表面に電磁バイブレーターの振動子７を露出し又前記脛当座３と足台４の両側面３’、３’にはく字形板金５を当てゝ両者はバネ１０を介して可動的に結合して成る電磁バイブレーター付安楽椅子の構造に関するものである。」（第１ページ左欄第６−１４行）
（チ）第１図には、座褥２の前面に脛当座３を取り付けた構成が図示されている。
　
第４．対比
　本願発明と引用発明とを対比すると、その構造または機能からみて、引用発明の「マッサージ椅子１０」は、本願発明の「椅子型基体」に相当し、以下同様に、「背凭れ部１４」は「背板」に、「背凭れ部１４の左右中央部」は「背板中央」に、「空気袋ａ５、ａ７、ａ９」は、背板の左右の列に分設された「気嚢」に、「座部１１」は「坐台」に、「２つの空気袋ａ２、ａ３」は、坐台に配置された「複数の気嚢」に、「保持され」は「配置し」に、「空気袋ａ１１」は、揉捏機構に対設した「気嚢」に、「下肢マッサージ器２０」は「揉捏機構」に、「各空気袋はエア排気装置４０から供給された空気により膨張させる」は膨縮動作を意味することから、「各気嚢は圧気の給排により膨縮する」に、「背凭れ部１４に配置された複数段の空気袋ａ５、ａ７、ａ９は、同じ段の左右の空気袋が同時に膨縮し、この膨縮動作が移行する」は「背板に分設した複数段の気嚢については、同じ段の左右の気嚢が同時に膨縮し、この膨縮動作が移行する」に相当する。
　また、空気袋も摺擦体もマッサージ施療子の一種であるから、引用発明の「背凭れ部１４の左右中央部に空気袋ａ４、ａ６、ａ８を配置し」と、本願発明の「背板中央を上下に移動可能な摺擦体を配設し」とは、「背板中央にマッサージ施療子を配設し」たという概念で共通する。　
　また、引用発明の「座部１１の前面に空気袋ａ１１を対設した下肢マッサージ器２０を設け」と、本願発明の「坐台の前面に気嚢を対設した揉捏機構を取り付け」とは、「坐台の前面に気嚢を対設した揉捏機構を設け」たという概念で共通する。
　そして、引用発明の「エアマッサージ装置」と、本願発明「複合マッサージ機」とは、「マッサージ機」である点で共通している。
　
　そうすると、両者は、本願発明の文言を用いて表現すると、
　「椅子型基体の背板中央にマッサージ施療子を配設し、そのマッサージ施療しを挟んだ背板の左右の列に複数段の気嚢を分設し、坐台に複数の気嚢を配置し、坐台の前面に気嚢を対設した揉捏機構を設け、各気嚢は圧気の給排により膨縮するものとし、前記背板に分設した複数段の気嚢については、同じ段の左右の気嚢が同時に膨縮し、この膨縮動作が順次移行するようにしたマッサージ機。」
で一致し、次の点で相違する。
　
（相違点１）
　本願発明は、椅子型基体の背板中央を上下に移動可能な摺擦体を配設したのに対し、引用発明は、背板中央（背凭れ部１４の左右中央部）に気嚢（空気袋ａ４、ａ６、ａ８）を分設した点。
（相違点２）
　本願発明は、坐台の前面に揉捏機構を取り付けているのに対し、引用発明は、揉捏機構（下肢マッサージ器２０）が坐台（座部１１）と間隔をおいて配置されている点。
（相違点３）
　本願発明は、背板に分設した気嚢の膨縮動作の移行を摺擦体の走行速度と同期させるようにしているのに対し、引用発明はそのようになっていない点。
　
第５．相違点の判断
　上記相違点について検討する。
（相違点１について）
　マッサージ機において、様々な機能を組み合わせて、マッサージ機能を改善することは従来から行われてきたことであり、当該技術分野における一般的な課題に過ぎない。
　ところで、椅子型基体の背板中央を上下に移動可能な摺擦体を配設したマッサージ機構を備えた椅子式マッサージ機は、例えば、実願昭５８−６６６７０号（実開昭５９−１７２４２６号）のマイクロフィルムなどに見られるように従来周知である。
　そうすると、引用発明において、所望のマッサージ効果を得るために、背板中央に設けられた気嚢にかえて、周知技術である摺擦体を採用することは当業者であれば適宜なし得ることである。
　したがって、相違点１に係る本願発明の発明特定事項のようにすることは、当業者が容易に想到できたものである。
（相違点２について）
　引用例３には、坐台（坐褥２）の前面に揉捏機構（脛当座３）を取り付けているマッサージ機（安楽椅子）が記載されている。
　そして、引用発明と引用例３に記載された発明とは、どちらも下肢マッサージを行えるようにした椅子型のマッサージ機である点で技術分野及び機能が共通しているから、引用発明において、使い勝手等を考慮して坐台の前面に揉捏機構を取り付けることは、当業者が容易に想到できたものである。
（相違点３について）
　引用例２には、摺擦体（ローラマッサージ機３）の作動と気嚢（エアーマット２）の膨張収縮作動を同期させる（連動させる）構成を備えたローラマッサージ機において、施療中に気嚢（エアーマット２）の空気量を調節自在になすことで、基準加圧値に対してエアー圧を調節して、マッサージ圧を高めたり、低くしたりできることが記載されている。
　そして、引用発明と引用例２に記載された発明とは、マッサージ施療子が順次移行するマッサージ機である点で技術分野及び機能が共通している。
　そうすると、上記「（相違点１について）」で検討したように、引用発明において、摺擦体と気嚢とを備えるようにする際に、マッサージ圧を調整できるように、引用例２に記載された摺擦体（ローラマッサージ機３）の作動と気嚢（エアーマット２）の膨張収縮作動を同期させる（連動させる）構成を適用することによって、相違点３に係る本願発明の発明特定事項のようにすることは当業者が容易に想到できたものである。
　
　そして、本願発明による効果も、引用発明、引用例２、３及び上記周知技術から当業者が予測し得た程度のものであって、格別のものとはいえない。
　
第６．むすび
　以上のとおり、本願発明は、引用発明、引用例２、３及び上記周知技術に基いて、当業者が容易に発明をすることができたものであるから、特許法第２９条第２項の規定により、特許を受けることができない。
　よって、結論のとおり審決する。